(57)【特許請求の範囲】
【請求項１】
外郭を構成する本体と、前記本体の上面に設けたトッププレートと、前記トッププレート上に設けた被加熱調理容器を載置して加熱する複数の加熱部と、前記トッププレートの下方に前記加熱部に対応して設けた複数の加熱手段と、それぞれの前記加熱手段に対応して設けた加熱調理を行うための条件を入力する操作部と、前記操作部への入力操作を検知する検知部と、前記検知部からの信号により前記加熱手段を制御する制御手段とを備え、前記操作部は前記本体前面に設けた第１の操作部と前記トッププレートの上面に設けた第２の操作部とよりなり、前記第２の操作部は前記加熱手段への出力停止手段と火力変更手段のみで構成とした加熱調理器。
【請求項２】
外郭を構成する本体と、前記本体の上面に設けたトッププレートと、前記トッププレート上に設けた被加熱調理容器を載置して加熱する複数の加熱部と、前記トッププレートの下方に前記加熱部に対応して設けた複数の加熱手段と、それぞれの前記加熱手段に対応して設けた加熱調理を行うための条件を入力する操作部と、前記操作部への入力操作を検知する検知部と、前記検知部からの信号により前記加熱手段を制御する制御手段とを備え、前記操作部は前記本体前面に設けた第１の操作部と前記トッププレートの上面に設けた第２の操作部とよりなり、前記第２の操作部には前記加熱手段への電力を供給するための入力手段を設けない構成とした加熱調理器。
【請求項３】
外郭を構成する本体と、前記本体の上面に設けたトッププレートと、前記トッププレート上に設けた被加熱調理容器を載置して加熱する複数の加熱部と、前記トッププレートの下方に前記加熱部に対応して設けた複数の加熱手段と、それぞれの前記加熱手段に対応して設けた加熱調理を行うための条件を入力する操作部と、前記操作部への入力操作を検知する検知部と、前記検知部からの信号により前記加熱手段を制御する制御手段とを備え、前記操作部は前記本体前面に設けた第１の操作部と前記トッププレートの上面に設けた第２の操作部とよりなり、前記第１の操作部には前記第２の操作部の操作を停止する操作停止手段を設ける構成とした加熱調理器。
【請求項４】
加熱手段のうち少なくとも１つは誘導加熱手段である請求項１〜３のいずれか１項に記載の加熱調理器。
【請求項５】
加熱手段の少なくとも１つは電気抵抗発熱式加熱手段で、他は誘導加熱式加熱手段で構成し、第２の操作部は、前記誘導加熱式加熱手段の操作をするためのもののみに限定する構成とした請求項１〜３のいずれか１項に記載の加熱調理器。
【発明の詳細な説明】
【０００１】
【発明の属する技術分野】
本発明は上面に加熱手段の入り、切りなどを行う操作部を有する加熱調理器に関し、特に、操作部への不測の入力に対して、加熱手段が動作しないようにしたものに関する。
【０００２】
【従来の技術】
従来のこの種の加熱調理器としての誘導加熱調理器をもちいて説明する。図３は従来の加熱調理器としての誘導加熱調理器の平面図である。図において、１は本体であり、２は本体１上に設けられたトッププレートで、その手前側左右と、中央奥側に加熱部３を配している。そして、トッププレートの手前側に夫々の加熱部３に対応して設けた静電容量式の操作部４によって操作するというものであった。また、５は本体１の側面に設けられた誘導加熱調理器の電源スイッチであり、６は加熱部３に対応して設けた加熱手段のスイッチで、操作部４に設けられている。
【０００３】
このように、誘導加熱調理器は電源の入り（以下、ＯＮと記す）、切り（以下、ＯＦＦと記す）を行うスイッチ５と、加熱手段のＯＮ、ＯＦＦを行うスイッチ６との２種類のスイッチが用いられている。これは、加熱調理器が被加熱物を載置して加熱する加熱部を複数箇持っており、これらの加熱部が同時にすべて用いられるとは限らないためである。そのため、調理終了後、うっかり、またはすぐに次の調理をするからなどの理由のため、加熱手段のスイッチ６はＯＦＦにするが、電源スイッチ５はＯＮの状態のままで放置されることがあった。このとき、子供がスイッチに触ったり、猫などの小動物がスイッチの上を歩いたりするという不測の事態が起こると加熱手段のスイッチがＯＮになってしまう恐れがあった。
【０００４】
このような不測の事態に対しても安全性を確保するために、操作部４の加熱手段に対応するキーを所定時間内に２回押さないと加熱手段のスイッチ６がＯＮにならないという方法が用いられてきた。すなわち、加熱手段を制御する制御手段に操作信号が所定時間内にＯＮ／ＯＦＦ／ＯＮ／ＯＦＦと変化した場合に初めて加熱開始に対応する操作があったものとみなし、加熱を開始させるというものであった。
【０００５】
なお、加熱部が１個の加熱調理器であっても安全のために２種類のスイッチを用いるのが一般的であった。
【０００６】
【発明が解決しようとする課題】
しかしながら、前記従来の構成では、子供や猫などの小動物が同じキーまたは操作ボタンを所定時間内に続けて２回以上続けてさわる、すなわち押すことは充分に考えられる。このとき使用者が知らない間に加熱手段がＯＮになってしまっているという問題があった。特に誘導加熱調理器では加熱手段がＯＮになってもトッププレートは直接加熱されないので使用者は全く気づかないままでいるという問題があった。
【０００７】
本発明は前記従来の課題を解決するもので、使用者が知らないうちに子供や小動物によってあるいは落下物などの不測の事態によって操作部が押圧されたとしても加熱手段が容易にＯＮにならないようにした加熱調理器を提供することを目的とする。
【０００８】
【課題を解決するための手段】
前記従来の課題を解決するために、本発明の加熱調理器は、調理容器を載置して加熱する加熱部と、前記加熱部に対応して設けた加熱手段と、加熱調理を行うための条件を入力する操作部と、前記操作部への入力操作を検知する検知部と、前記検知部からの信号により前記加熱手段を制御する制御手段とを備え、前記操作部は前記本体前面に設けた第１の操作部と前記トッププレートの上面に設けた第２の操作部とよりなり、前記第２の操作部は前記加熱手段への出力停止手段と火力変更手段のみで構成とした。この構成では加熱手段へ電力を供給するキーがトッププレートに設けられていないため、不測の事態が起こったとしても電力が供給されないので安全性を確保することができる。
【０００９】
【発明の実施の形態】
請求項１に記載の発明は、外郭を構成する本体と、前記本体の上面に設けたトッププレートと、前記トッププレート上に設けた被加熱調理容器を載置して加熱する複数の加熱部と、前記トッププレートの下方に前記加熱部に対応して設けた複数の加熱手段と、それぞれの前記加熱手段に対応して設けた加熱調理を行うための条件を入力する操作部と、前記操作部への入力操作を検知する検知部と、前記検知部からの信号により前記加熱手段を制御する制御手段とを備え、前記操作部は前記本体前面に設けた第１の操作部と前記トッププレートの上面に設けた第２の操作部とよりなり、前記第２の操作部は前記加熱手段への出力停止手段と火力変更手段のみで構成とした。この構成では加熱手段へ電力を供給するキーがトッププレートに設けられていないため、不測の事態が起こったとしても電力が供給されないので安全性が確保できる。
【００１０】
請求項２に記載の発明は、外郭を構成する本体と、前記本体の上面に設けたトッププレートと、前記トッププレート上に設けた被加熱調理容器を載置して加熱する複数の加熱部と、前記トッププレートの下方に前記加熱部に対応して設けた複数の加熱手段と、それぞれの前記加熱手段に対応して設けた加熱調理を行うための条件を入力する操作部と、前記操作部への入力操作を検知する検知部と、前記検知部からの信号により前記加熱手段を制御する制御手段とを備え、前記操作部は前記本体前面に設けた第１の操作部と前記トッププレートの上面に設けた第２の操作部とよりなり、前記第２の操作部には前記加熱手段への電力を供給するための入力手段を設けない構成とした。この構成では加熱手段へ電力を供給するキーがトッププレートに設けられていないため、不測の事態が起こったとしても電力が供給されないので安全性が確保できる。
【００１１】
請求項３に記載の発明は、外郭を構成する本体と、前記本体の上面に設けたトッププレートと、前記トッププレート上に設けた被加熱調理容器を載置して加熱する複数の加熱部と、前記トッププレートの下方に前記加熱部に対応して設けた複数の加熱手段と、それぞれの前記加熱手段に対応して設けた加熱調理を行うための条件を入力する操作部と、前記操作部への入力操作を検知する検知部と、前記検知部からの信号により前記加熱手段を制御する制御手段とを備え、前記操作部は前記本体前面に設けた第１の操作部と前記トッププレートの上面に設けた第２の操作部とよりなり、前記第１の操作部には前記第２の操作部の操作を停止する操作停止手段を設ける構成とした。この構成により、トッププレート上の操作部の機能を停止できるので、不測の事態が発生しても安全性が確保できる。
【００１２】
請求項４に記載の発明は、加熱手段のうち少なくとも１つは誘導加熱手段である構成とした。そして、外部より加熱手段に対して電力が供給されているか否かが分かりにくい誘導加熱手段に対しても安全性の確保ができる。
【００１３】
請求項５に記載の発明は、加熱手段の少なくとも１つは電気抵抗発熱式加熱手段で、他は誘導加熱式加熱手段で構成し、第２の操作部は、前記誘導加熱式加熱手段の操作をするためのもののみに限定する構成とした。この構成によりトッププレート上の手前の狭いスペースに使用頻度の多い誘導加熱手段の操作部を余裕を持って設けることができるとともに、外部より加熱手段に対して電力が供給されているか否かが分かりにくい誘導加熱手段に対しても安全性の確保ができる上に、不意のスイッチＯＮで極めて高温になり、危険度の非常に高い電気抵抗発熱式加熱手段に通電されることなく、安全性のさらなる向上が図れるものである。
【００１４】
【実施例】
以下、本発明の実施例について、図面を参照しながら説明する。
【００１５】
（参考例１）
図１は本発明の第１の参考例における加熱調理器の加熱制御のブロック図であり、図２は同加熱調理器をシステムキッチンに取付けた状態を示す斜視図である。
【００１６】
図２において、加熱調理器の本体１１の上面は耐熱性ガラス製のトッププレート１２がトップフレーム１３により外周部を覆われ配設されている。本体１１内のトッププレート１２の下面には加熱手段１４が配置されている。本参考例ではこの加熱手段１４は誘導加熱によって鍋を加熱し被調理物を加熱する誘導加熱コイル１４ａ、１４ｂと、誘導加熱では使えない鍋を用いて加熱するラジエントヒータ１４ｃとより構成されている。また、トッププレート１２の表面上には加熱手段１４が配設されている位置に対応して加熱部１５が設けられている。すなわち、本参考例における誘導加熱部１５ａ、１５ｂおよびラジエント加熱部１５ｃである。さらに、本体１１の前方側面部には開閉収納式の第１の操作部１６と、操作に応じて各種状態を表示する表示部１７が設けられ、トッププレート１２の表面上には、加熱部１５の電源開閉、火力調節などの使用頻度の高い操作キーを有する静電容量式の第２の操作部１８が設けられている。なお、本参考例では第２の操作部１８は使用頻度の多い誘導加熱部１５ａ、１５ｂに対応して第２の操作部１８ａ、１８ｂが設けられている。さらに、第２の操作部１８ａ、１８ｂは夫々加熱部１５ａ、１５ｂの電源開閉キー、および火力調節のアップキー、ダウンキーより構成されている。なお、本参考例では第１の操作部１６にはすべての加熱装置に対応する操作キーが設けられている。
【００１７】
この他、本体１１の内部には操作部への入力操作を検知する検知部２０と、検知部２０からの信号により加熱手段１４を制御する制御手段２１と、電源が供給されてからおよび調理が終了してから時間をカウントする計時手段２２とが設けられている。これらの関係を図１のブロック図で示している。
【００１８】
以上のように構成された加熱調理器について、その動作作用を説明する。
【００１９】
使用者は調理するにあたって、その調理に適した加熱方式を選択する。いま、誘導加熱方式を選択したとすると、加熱部１５ａ、１５ｂのどちらか一方を選択する。もちろん加熱部１５ａ、１５ｂの出力が異なる場合は出力によって決めたらよいし、同時に両方またはラジエント加熱部１５ｃを含めた３ヶ所の加熱部１５を同時に用いても良いが、本参考例では加熱部１５ａを選択したとする。
【００２０】
使用者は調理容器を加熱部１５ａに載置した後、電源スイッチ１９により電源をＯＮにし、次いで第２の操作部１８ａの電源開閉キーを押圧することにより、検知部が入力を検知し、これにより制御手段２１が誘導加熱コイル１４ａに通電を指示すし加熱が開始される。このとき電源がＯＮされると同時に計時手段２２が時間の計測を開始する。そして、一定時間内に操作キーが操作されたなら計測を中止し、操作キーが操作されなかったら操作部の入力操作を受け付けない構成とした。ここで操作を受け付けないというのは電源をＯＦＦにした場合も含む。
【００２１】
一定時間は装置の使われ方、装置の設置場所による機種によって検討し定めればよいが、通常の場所で使用される装置としては、５ないし１０秒ぐらいが妥当である。例えば調理容器を載置せずに電源スイッチ１９をＯＮにし、それから調理容器に調理物を仕込んで、加熱部１５ａに載置し、第２の操作部１８ａの操作キーを押圧しても一定時間が経過しているために、誘導加熱コイル１４ａには電力が供給されず、加熱するためには入力操作を初めからし直すことになる。もちろん、誘導加熱部１５ａを使用中に誘導加熱部１５ｂを使用する場合は、第２の操作部１８ｂの操作キーを押圧すれば加熱が開始するようにしたら良い。
【００２２】
加熱調理が終了し、第２の操作部１８ａの電源開閉キーが押圧されると誘導加熱加熱コイル１４ａの通電は中止される。このとき、電源開閉キーが押圧されると同時に、計時手段２２が時間の計測を開始する。そして一定時間経過後、電源をＯＦＦにするかまたは操作部の入力操作を受け付けないようにする。もちろん、加熱部１５を２箇所以上使っており、他の加熱部１５ｂの加熱調理が終了していない場合は、電源はＯＦＦにならないし、入力操作は受け付けるようにする。
【００２３】
このようにすることにより、電源をＯＮとしたまま使用者が加熱調理器から目を離した間に、子供がいたずらしてキーを触ったり、猫などの小動物がトッププレートに上がり第２の操作部を踏んだりしたとしても加熱手段１４が通電されることはなく、安全が確保される。
【００２４】
なお、他の安全装置と組合せる場合は時間の計測は電源スイッチをＯＮしてから、または調理終了後のどちらか一方であってもよい。
【００２５】
なお、一定時間を短くすると利便性が悪くなる。そのため、一定時間の設定は最終的には安全性と利便性とを考慮して定めたらよい。
【００２６】
なお、本参考例では操作部を第１の操作部１６と第２の操作部１８とに区別して記載しているが、前記説明で分かるように区別する必要はなく、前第１の操作部１６と第２の操作部１８とを１つにしトッププレート上に操作部として設けてもよいのはもちろんである。
【００２７】
（参考例２）
本発明の第２の参考例について説明する。本参考例は、参考例１と基本構成は同じであり、異なる点は入力操作に対する制御手段の対応の違いであるので、説明は図２を用いて行う。
【００２８】
子供がいたずらしたり、小動物が操作キーを踏みつけたりした場合の操作キーの押圧は、同じキーを何回も押したり、第２の操作部１８ａのキーおよび第２の操作部１８ｂのキーとをランダムに押したりというように、およそ論理的でなく非論理的である。そこで本参考例では、制御手段２１に記憶部と比較部を設け、記憶部に予め調理条件を設定するにあたっての複数のパターンを記憶させておき、検知部２０からの入力信号と記憶部に記憶したパターンとを比較部で比較し、異なる場合は子供のいたずらか、小動物の足踏みかなどの異常の入力と判断し電源をＯＦＦにする。
【００２９】
また、同じように１つの操作キーが所定時間押し続けられたときは、同様に子供のいたずらか、小動物の足踏みかなどの異常の入力と判断し電源をＯＦＦにする。
【００３０】
これにより、不測の事態により加熱手段１４がＯＮになることを防ぐことができ安全が確保される。
【００３１】
なお、本参考例でも参考例１と同様に操作部を第１の操作部１６と第２の操作部１８とに区別して記載しているが、前記説明で分かるように区別する必要はなく、前第１の操作部１６と第２の操作部１８とを１つにしトッププレート上に操作部として設けてもよいのはもちろんである。
【００３２】
（実施例１）
本発明の第１の実施例について説明する。本実施例は、参考例１と基本構成は同じであり、異なる点は第２の操作部１８における操作キーを限定した点であるので、説明は図２を用いて行う。
【００３３】
本実施例はトッププレート上で小動物が足踏みしたり、あるいはトッププレート上に何か物体が落下してきたりした場合を想定したものである。このような不測の事態に対し、本実施例では第２の操作部１８には加熱手段１４の出力を停止する出力停止キーと火力を調整する火力調節キーのみで構成するようにした。この構成ではたとえキーが押圧されたとしても加熱手段１４に電力が供給されないので、加熱部１５が加熱されることがないため安全性が確保される。また、子供のいたずらに対しても出力供給キーが開閉収納式の第１の操作部１６に設けられるので安全性がたかまる。
【００３４】
また、同様の目的に対して、第２の操作部１８に加熱手段の電源開閉キーを設けない構成としても同様に安全性が確保される。
【００３５】
（実施例２）
本発明の第２の実施例について説明する。本実施例は、参考例１ないし２、実施例１において、第１の操作部に第２の操作部を停止する操作停止手段を設けたことを特徴としている。
【００３６】
操作停止手段をＯＮさせることにより第２の操作部の操作を受け付けないようにするので、参考例１ないし２、実施例１と同様の安全性の確保ができる。
【００３７】
なお、参考例１ないし２、実施例１または２で説明した方法を単独で用いても良いが、併用が可能な方法であれば併用して用いればさらにその効果は大きくなる。
【００３８】
また、参考例１ないし２、実施例１または２において加熱調理器が加熱部を３箇所有する場合について説明したが、これに限定されるものではなく先に述べたように１個所の場合であってもよいし、４箇所以上であってもよい。
【００３９】
また、参考例１ないし２、実施例１または２では加熱部に誘導加熱手段を用いた場合を説明したが、誘導加熱は直接被加熱物を加熱するので、視覚的にはトッププレートが加熱されているかどうかが分からないため、すなわち、加熱手段の電源がＯＮになっているのがわからないため、本発明の方法は有用である。したがって誘導加熱手段を少なくとも１つ有する加熱調理器に用いれば効果が得られる。また、同様の理由により、複数個の加熱部を有する加熱調理器であって、少なくとも１つは電気抵抗発熱式加熱手段であり、他は誘導加熱方式加熱手段である場合も第２の操作部は誘導加熱手段の操作のみに限定すると、使用頻度の多い誘導加熱手段をトッププレートの手前に設けても安全性が確保されかつ利便性をよくすることができる。
【００４０】
なお、トッププレート上の操作部のキーを静電容量式にしたが、これに類するものであれば、どのような形態であってもよい。
【００４１】
【発明の効果】
以上のように、請求項１ないし５に記載の発明によれば、使用者が知らないうちに子供や小動物によってあるいは落下物などの不測の事態によって操作部が押圧されたとしても加熱手段が容易にＯＮにならないようにできる。
【図面の簡単な説明】
【図１】  本発明の第１または２の参考例、第１または第２の実施例における加熱調理器の加熱制御のブロック図
【図２】  同加熱調理器をシステムキッチンに取付けた状態を示す斜視図
【図３】  従来の加熱調理器の平面図
【符号の説明】
１１  本体
１２  トッププレート
１４  加熱手段
１４ａ  誘導加熱コイル（誘導加熱手段）
１４ｂ  誘導加熱コイル（誘導加熱手段）
１５  加熱部
１６  第１の操作部
１８  第２の操作部
２０  検知部
２１  制御手段
２２  計時手段
【図１】
0003788294.tif 000002
【図２】
0003788294.tif 000003
【図３】
0003788294.tif 000004